(57)【要約】      （修正有）【課題】最大引出し位置で一旦停止し、更に、所定の操作で抜き出し、その後、再び装着が可能なスライドレールに関するもので、簡単な構造で、ストッパー部材の挿着が容易で、生産性に優れ、安価に製作できるスライドレールを提供する。【解決手段】移動側レール３を抜き差し可能としたスライドレールにおいて、ストッパー部材６は、連結基板６１と、弾性変移部６２と、弾性変移部６２の前端に連設された操作部６３より合成樹脂材にて略ヘの字形に一体に構成され、連結基板６１の上下端部には、移動側レール３の各折曲縁と基板の角部内面側に嵌入する嵌入突縁が形成され、中央部には、ストッパー部材６が取り付け状態で移動側レール３の摺動方向に移動するのを防止する移動阻止部が連結基板６１と移動側レール３の基板間に形成されているものである。【選択図】図８
2008068120.tif 000002
【特許請求の範囲】
【請求項１】
移動側レールを摺動自在に保持するレールの基板前端部に、移動側レールの基板方向に突出するストッパー突部が設けられると共に、移動側レールの基板所定位置に、前記ストッパー突部に係脱自在なストッパー孔を有するストッパー部材が設けられ、移動側レールを抜き差し可能としたスライドレールにおいて、ストッパー部材は、連結基板と、弾性変移部と、弾性変移部の前端に連設された操作部より合成樹脂材にて略ヘの字形に一体に構成され、  連結基板の上下端部には、移動側レールの各折曲縁と基板の角部内面側に嵌入する嵌入突縁が形成され、中央部には、ストッパー部材が取り付け状態で移動側レールの摺動方向に移動するのを防止する移動阻止部が連結基板と移動側レールの基板間に形成されていることを特徴とするスライドレール。
【請求項２】
移動阻止部は、連結基板に形成された嵌合孔と、嵌合孔に対応して移動側レールの基板に形成された嵌合孔に嵌合する嵌合突部より構成されていることを特徴とする請求項1に記載のスライドレール。
【発明の詳細な説明】
【技術分野】
【０００１】
本発明は、引出し、機器等を本体側から引出した時、最大引出し位置で、一旦停止し、更に、引出し、機器等を修理、点検のため本体側より抜き出す必要がある時、所定の操作で抜き出し、その後、再び装着が可能なスライドレールに関するものである。
【背景技術】
【０００２】
移動側レールを最大限引き出した状態で一旦停止させるスライドレールは、固定側レールの前端部にストッパー突部を形成し、このストッパー突部にストッパー部材の係合孔を係合させる構成としているが、移動側レールの摺動スピードが、ストッパー部材の弾性変移のスピードより速いと、ストッパー突部が係合孔に係合する前に移動側レールが抜け出す問題があるため、係合孔はそのタイムラグを計算して、摺動方向に大きく形成しておく必要がある。
又、係合孔とストッパー突部の確実な係合状態を確保する為、係合孔の変移距離を大きく構成する必要から、ストッパー部材の取り付け位置と係合孔までの距離も大きく形成する必要もあった。
この為、従来のように、ストッパー部材を移動側レールにリベット止めすると、取付作業も煩脱で、取り付け誤差が発生し易く、この若干の取付誤差によっても、係合孔の位置では摺動方向と直行する方向に大きな位置ずれが発生し、この位置ずれを解消する目的で、係合孔は摺動方向のみならず、摺動方向と直行する方向にも大きく形成する必要があった。（例えば特許文献１参照。）
【０００３】
すなわち、移動側レールを抜き出す時、或いは、移動側レールの装着時、ストッパー突部と係合孔の形状によって、ストッパー部材が自動的に変移する機能を有するスライドレールの場合は特に問題はないが、移動側レールの装着時、移動側レールの最大引出し位置で、係合孔とストッパー突部が係合して一旦停止し、その後、指先でストッパー部材を解除しながら移動側レールを収納方向に摺動させる機能を必要とするスライドレールでは、指先が大きく形成された係合孔に入り込み、収納方向に摺動時させた時、固定側レールの前端部と、ストッパー部材間に、爪或いは指先を詰めると云う問題があった。
【０００４】
【特許文献１】実公昭６２−８７６５号公報
【発明の開示】
【発明が解決しようとする課題】
【０００５】
本発明は、上記問題を解決する事を課題とし、簡単な構造で、移動側レールへの装着が非常に容易で、ストッパー部材の係合孔をストパー突部の幅寸法に合わせて小さく形成出来、生産性に優れ、安価に製作できるスライドレールを提供する事を課題とする。
【課題を解決するための手段】
【０００６】
上記課題を解決する為、本発明が第１の手段として構成したところは、移動側レールを摺動自在に保持するレールの基板前端部に、移動側レールの基板方向に突出するストッパー突部が設けられると共に、移動側レールの基板所定位置に、前記ストッパー突部に係脱自在なストッパー孔を有するストッパー部材が設けられ、移動側レールを抜き差し可能としたスライドレールにおいて、ストッパー部材は、連結基板と、弾性変移部と、弾性変移部の前端に連設された操作部より合成樹脂材にて略ヘの字形に一体に構成され、  連結基板の上下端部には、移動側レールの各折曲縁と基板の角部内面側に嵌入する嵌入突縁が形成され、中央部には、ストッパー部材が取り付け状態で移動側レールの摺動方向に移動するのを防止する移動阻止部が連結基板と移動側レールの基板間に形成されているものである。
【０００７】
次に本発明が第２の手段として構成したところは、第１の手段として構成したところに加え、移動阻止部は、連結基板に形成された嵌合孔と、嵌合孔に対応して移動側レールの基板に形成された嵌合孔に嵌合する嵌合突部より構成されているものである。
【発明の効果】
【０００８】
請求項１に記載の発明によると、ストッパー部材は、嵌入突縁の一方を、移動側レールの基板の一方の折曲縁の内面角部に当接させ、他方の嵌入突縁を、他方の折曲縁の端面に当接させた状態で、機械的に連結基板を湾曲させ、移動側レールの基板と折曲縁の角部に嵌合するだけで、移動側レールの所定位置に確実容易に取り付けることができ、嵌入突縁と基板と折曲縁の角部の嵌合によって上下方向の取付時のずれは解消され、移動阻止部によって、ストッパー部材の移動側レールの摺動方向への移動は防止される。
すなわち、ストッパー部材は、合成樹脂材で一体に成型されているので、部材点数が最小ですみ、合成樹脂材の弾性利用して取付られるので、取付工具あるいは連結用の金具を必要とせず、移動側レールへの装着が非常に容易で、簡単な構造で、生産性に優れ、安価に製作できる。
【０００９】
請求項２に記載の発明によると、上記効果に加え、一方に嵌合孔を他方に嵌合孔に嵌合する嵌合突部を構成するだけであるから、構造が簡単で安価に製作でき、連結基板の嵌入突縁を移動側レールの基板と折曲縁の角部に嵌合するだけで、ストッパー部材の移動側レールの摺動方向への移動を防止することができる。
【発明を実施するための最良の形態】
【００１０】
移動側レールを摺動自在に保持するレールの基板前端部に、移動側レールの基板方向に突出するストッパー突部が設けられると共に、移動側レールの基板所定位置に、前記ストッパー突部に係脱自在なストッパー孔を有するストッパー部材が設けられ、移動側レールを抜き差し可能としたスライドレールにおいて、ストッパー部材は、連結基板と、弾性変移部と、弾性変移部の前端に連設された操作部より合成樹脂材にて略ヘの字形に一体に構成され、連結基板の上下端部には、移動側レールの各折曲縁と基板の角部内面側に嵌入する嵌入突縁が形成され、ストッパー部材が取り付け状態で移動側レールの基板に形成された嵌合突部が嵌合する嵌合孔を、連結基板の中央部に形成されているものである。
【実施例】
【００１１】
以下、実施例を図面に基づいて説明する。
図１〜図５において、符号１００はスライドレールを示し、スライドレール１００は、実施例では、固定側レール１と、固定側レール１に摺動自在に保持された中間レール２と、中間レール２にボールリテーナー４に回転自在に保持されたボール４４・・・を介して摺動自在に保持された移動側レール３より構成されている。（従来より公知の構成、例えば、実開平４−５６０４３号公報）
すなわち、固定側レール１は、基板１０と、上下折曲縁１１、１１よりチャンネル型に形成され、固定側レール１のほぼ半分程度の長さとなした合成樹脂製のリテーナー１２・・・に回転自在に保持され、かつ、上下折曲縁１１、１１内面と中間レール２の外面間に位置する複数個のボール１３・・・を介して、中間レール２を摺動自在に保持している。
そして、固定側レール１の基板１０の後端部には、中間レール２の収納時ストッパー（図示せず。）が形成され、基板１０の前端部には前記リテーナー１２の引出し方向への移動範囲を規制するリテーナ前ストッパー（図示せず。）が形成されている。
【００１２】
中間レール２は、固定側レール１とほぼ同長で、基板２０と上下折曲縁２１、２１より固定側レール１と同方向の略チャンネル型に形成され、上下折曲縁２１、２１の外面に、摺動方向に渡って前記ボール１３・・・が転動する外面ボール摺動溝２２、２２を有し、上下折曲縁２１、２１の内面に、摺動方向に渡ってボール摺動溝２３、２３を有している。  そして、基板２０の後端部には、中間レール２の収納時に前記収納時ストッパーに当接する中間レール後端ストッパー（図示せず。）が形成され、上下折曲縁２１、２１の後端部には、中間レール２の最大引出し時に、前端部が前記固定側レール１のリテーナ前ストッパーに当接したリテーナー１２の後端に当接して、中間レール２の最大引出し量を規制するリテーナ後ストッパー（図示せず。）が形成され、基板２０の後端部所定位置に、移動側レール３が最大収納状態となった時、ボールリテーナー４の後端部が当接するボールリテーナ後端ストッパー（図示せず。）が形成され、基板２０前端部には後記する案内部材５が設けられている。
符号２４は案内部材５の係止孔を示し、符号２５は案内部材５の取り付け用の切り欠き部を示している。
切り欠き部２５は、案内部材材５が中間レール２に取り付けた際、中間レール２の基板２０の摺動方向に形成された凹条２００と共に、案内部材５が中間レール２の外部に突出するのを防止する為に形成されたものである。
【００１３】
移動側レール３は、固定側レール１とほぼ同長に形成され、ボールリテーナー４に保持されたボール４４・・・を介して摺動自在な大きさで、金属製の細条板の短手両端部を外向き円弧状に折り曲げて形成された、外面長手方向にボール摺動溝３３、３３を有する上下折曲縁３１、３１と基板３０より断面略Ｃ字型に形成されている。
そして、基板３０の後端部には間隙規制凹部３５が形成されると共に、内面所定位置にストッパー部材６（図６に示す。）が設けられ、中間レール２に対し、引出し方向に摺動し、最大引出し位置に達した状態で、ストッパー部材６が前記案内部材５に連係して停止し、その後ストッパー部材６のストッパー状態を解除する事で、中間レール２より抜き出し可能、あるいは、収納可能となっている。
【００１４】
ボールリテーナー４は図１０に示すように、帯状金属板にて、中間レール２の半分程度の長さとし前記中間レール２と移動側レール３の基板２０、３０間に挿入可能な大きさで、保持基板部４０１、４０１と、基板本体４００より断面略コ字形に形成されたコ字形基板４０と、コ字形基板４０の両端部よりＬ字形に突出し、中間レール２と移動側レール３の各上下折曲縁２１、２１、３１、３１間に位置する上下突出縁４１、４１より断面略コ字形に形成され、上下突出縁４１、４１の摺動方向に複数個のボール４４・・・を回転自在に保持している。
そして、移動側レール３が最大引出し位置に達した状態で、前記案内部材５に前端部が当接し、移動側レール３が中間レール２より抜き出された状態で、案内部材５に保持されている。
【００１５】
案内部材５は、図５等に示すように、中間レール２の基板２０の前端部に位置する取付基板５１と、中間レール２と移動側レール３の上下のボール摺動溝２３、２３、３３、３３間に位置する案内突部５２、５２と、移動側レール３の間隙規制凹部３５に対応して取付基板５１の前端部に位置する間隙規制突部５３（尚、実施例では、ストッパー部材6のストッパー孔６２１が係合するストッパー突部６２２を兼用しているので、以下、ストッパー突部６２２を併記する。）と、取付基板５１の後端部に位置するリテーナ保持部５４より、合成樹脂材にて一体に形成されている。
【００１６】
取付基板５１は、上下端部に中間レール２の各折曲縁２１、２１と基板２０の角部内面に嵌入する嵌入突縁５１１、５１１と、中間レール２の前端部に形成された係合孔２４の前端面に係止する弾性係止突片５１２と、基板２０の前端外面側に当接する浮き上がり防止突片５１３と、中間レール２の前端に形成された切り欠き部２５の前端面に、後端面が当接し、かつ、切り欠き部２５内に位置する案内基板５５より構成されている。
【００１７】
前記案内基板５５の前端部には、前端面を肉薄とした第１案内傾斜面５５１、５５１と、第１案内傾斜面５５１、５５１の案内突部５２、５２側に連設され、移動側レール３の収納方向で、案内突部５２、５２間方向の離間寸法が小さくなる第２案内傾斜面５５２、５５２が形成されている。
案内突部５２、５２はボール４４と同径となした摺動方向に円柱形で、摺動方向両端部に移動側レール３の嵌入案内面５２１・・・を有している。
【００１８】
間隙規制突部５３（ストッパー突部６２２）は、移動側レール３の上下折曲縁３１、３１の後端角部に形成された角部案内面３１１、３１１が、第 1傾斜面５５１、５５１の前端に接触した時、移動側レール３の間隙規制凹部３５の後端に形成された後端案内面３５１が、間隙規制突部５３（ストッパー突部６２２）の前端角部に形成された挿入案内面５３１に接触した状態（図２（Ｂ）に示す状態）から、第１、第２案内傾斜面５５１、５５２に案内されて収納方向に移動させると、やがて、間隙規制凹部３５の最大凹陥位置３５０の内面側が、間隙規制突部５３（ストッパー突部６２２）の頂面５３２に接触してボール摺動溝３３、３３の後端部内に案内突部５２、５２の嵌入案内面５２１が嵌合した状態（図２（Ｃ）に示す状態）となる。
【００１９】
さらに、移動側レール３を収納方向に移動させると、案内突部５２、５２がボール摺動溝３３、３３内に完全に嵌合し、中間レール２と移動側レール３は平行状態となる。この状態で、移動側レール３の上下折曲縁３１、３１の端部と案内基板５５間に所定の間隙を有する高さ寸法に、間隙規制突部５３（ストッパー突部６２２）と間隙規制凹部３５の高さ寸法は関連付けて形成されている。
又、実施例では、間隙規制突部５３（ストッパー突部６２２）の頂面５３２の高さ位置と、前記ボールリテーナ４の基板４０の外面側の高さ位置を面一としているので、移動側レールの摺動時、間隙規制突部５３（ストッパー突部６２２）が、ボールリテーナ４の基板４０に接触しないよう（金属同士が接触すると、不快な接触音の発生、摺動時の摩擦が大きくなり摺動動作に影響が出る。）、案内突部５２、５２がボール摺動溝３３、３３内に完全に嵌合し、中間レール２と移動側レール３が平行状態となった状態で、間隙規制突部５３（ストッパー突部６２２）の頂面５３２（ボールリテーナ４の基板４０の外面側）と、間隙規制凹部３５の内面間に所定の間隙を有する構成としている。）
【００２０】
すなわち、間隙規制突部５３（ストッパー突部６２２）と間隙規制凹部３５の高さ寸法の関係は、移動側レール３と引出し等が、移動側レール３側から、引出し等との連結の為使用される連結ビスの頭部より、間隙規制凹部３５の最大凹陥位置３５０の内面側が、中間レール２の基板２０側に位置し、かつ、間隙規制突部５３（ストッパー突部６２２）の頂面５３２がボールリテーナー４の基板４０より移動側レール３の基板３０側に位置するよう関連付けて形成されておれば、案内突部５２、５２がボール摺動溝３３、３３内に完全に嵌合し、中間レール２と移動側レール３が平行状態となった状態で、間隙規制突部５３（ストッパー突部６２２）の頂面５３２と間隙規制凹部３５の最大凹陥位置３５０の内面側が接触していても良い。
【００２１】
リテーナー保持部５４は、前記リテーナー４の保持基板部４０１、４０１間よりやや大きめの寸法で、中央部に弾性変移間隙５４１を有する２又状に形成されされている。
【００２２】
ストッパー部材６は、図６〜図９に示すように、連結基板６１と、弾性変移部６２と、弾性変移部６２の前端に連設された操作部６３より合成樹脂材にて略ヘの字形に一体に構成され、弾性変移部６２と連結基板６１の連続部に弾性用凹条６１０が形成されている。
そして、連結基板６１の上下端部には、移動側レール３の各折曲縁３１、３１と基板３０の角部内面側に嵌入する嵌入突縁６１１、６１１が形成され、中央部には、ストッパー部材６が取り付け状態で移動側レール３の摺動方向に移動するのを防止する移動阻止部６０が連結基板６１と移動側レール３の基板３０間に形成されている。
すなわち、実施例では、移動阻止部６０は、連結基板６１に形成された嵌合孔６０１と、嵌合孔６０１に対応して移動側レール３の基板３０に形成された嵌合孔６０１に嵌合する嵌合突部６０２より形成されている。
【００２３】
又、移動側レール３が中間レール２に対して所定位置まで引き出された時に、移動側レール３を停止させるためのストッパー孔６２１が、弾性変移部６２に形成され、中間レール２の基板２０の前端部にはストッパー孔６２１に対応してストッパ突部６２２（実施例では間隙規制突部５３が兼用している。）が形成されている。
操作部６３は、移動側レール３の摺動時ボールリテーナーの基板３０の外面に接触するので、基板３０側に彎曲せしめた形状に形成されている。
符号６３１は操作部６３の先端部の逃がし孔を示している。
【００２４】
本発明は、上記の如く構成され、案内部材５、及びストッパー部材６は次のようにして、中間レール２及び移動側レール３に取り付けられる。
まず、中間レール２の先端部より、案内部材５の嵌合突縁５１１、５１１を、中間レール２の基板２０と上下折曲縁２１、２１の角部内面に嵌合し、同時に、案内突部５２、５２をボール摺動溝２３、２３に嵌合させながら、案内部材５を移動側レール３の収納方向に嵌入させていくと、案内基板５５の後端面が切り欠き部２５の前端面に当接し、案内部材５の収納方向への移動が停止する。この状態で、取付基板５１に形成された弾性係止突片５１２が弾性復帰して、中間レール２の係合孔２４内でその前端面が、係合孔２４の前端面に係止し、さらに、浮き上がり防止突片５１３は、中間レール２の基板２０の外面に位置し、案内部材５の引出し方向への移動と、移動側レール３の基板３０方向への移動を阻止し、案内部材５は、中間レール２の前端部に確実に取り付けられる。
【００２５】
ストッパー部材６は、連結基板６１の嵌合孔６０１が移動側レール３の嵌合突部６０２に一致する位置で、一方の嵌入突縁６１１を、基板３０と一方の折曲縁３１の内面角部に当接させ、他方を折曲縁３１の端面に当接させた状態で、機械的に連結基板６１を湾曲させ、他方の嵌入突縁６１１を基板３０と折曲縁３１の角部に、嵌合孔６０１を嵌合突部６０２に嵌合する事で、摺動方向への移動が阻止されると共に、嵌入突縁６１１と基板３０と折曲縁３１の角部の嵌合によって上下方向の取付時のずれは解消され、移動側レール３の所定位置に確実容易に取り付けられる。
【００２６】
案内部材５が取り付けられた中間レール２に、ストッパー部材６が取り付けられた移動側レール３を装着する場合中間レール２の案内部材５側から、移動側レール３の後端部に形成された上下折曲縁３１、３１の角部案内面３１１、３１１を、第 1傾斜面５５１、５５１の前端に接触させて、収納方向に移動させると、移動側レール３の後端部は、上下方句に多少の位置ずれがあっても、或いは中間レール２と必ずしも平行に位置していなくとも、第 1傾斜面５５１、５５１及び第２案内傾斜面５５２、５５２によって、中間レール２の前端中央位置に、移動側レール３の後端部が案内される。
【００２７】
そして、これと同時に、移動側レール３の間隙規制凹部３５の後端案内面３５１が、間隙規制突部５３（ストッパー突部６２２）の挿入案内面５３１に接触し、やがて、最大凹陥位置３５０の内面側が頂面５３２に接触して、ボール摺動溝３３、３３の後端部を、案内突部５２、５２が嵌合する位置に案内し、ほぼ同時に、案内突部５２、５２と摺動溝３３、３３は嵌合し、さらに、移動側レール３を収納方向に移動させると、リテーナ保持部５４によって、案内部材５の後端位置に保持されたボールリテーナー４のボール４４・・・とボール摺動溝３３、３３が嵌合し、移動側レール３は、ボールリテーナー４と共に摺動し中間レール２に完全に装着される。
【００２８】
そして、さらに移動側レール３を収納方向に移動させると、ストッパー部材６のストッパー孔６２１が間隙規制突部５３（ストッパー突部６２２）に達した時、弾性によって弾性変移部６２は中間レール２の基板２０方向に変移して両者は完全に係合し、移動側レール３は最大伸長状態で停止する。
この状態から、移動側レール３を収納状態まで摺動させる場合は、指先で操作部６３を基板３０方向に押しやり、間隙規制突部５３（ストッパー突部６２２）とストッパー孔６２１の係合を解除した状態を維持しながら、移動側レール３を収納方向に移動させる。
【００２９】
尚、移動側レール３の収納時には、間隙規制突部５３（ストッパー突部６２２）とストッパー孔６２１の係合を自動的に解除する機能とするには、ストッパー孔６２１の前端面の形状を図８の仮想線に示すような、基板３０側を肉薄となした解除用傾斜面６２３に形成すれば、移動側レール３の収納時、解除用傾斜面６２３と挿入案内面５３１の相互作用によって、弾性変移部６２は基板３０方向に変移し、間隙規制突部５３（ストッパー突部６２２）とストッパー孔６２１の係合は自動的に解除される。
【００３０】
又、移動側レール３を完全に収納した状態から引出すと、ストッパー部材６の操作部６３は、移動側レール３、ボールリテーナー４と共に、ボールリテーナー４の基板４０に接触しながら移動し、やがて、案内部材５を通過して中間レール２の前方に操作部６３が突出しながら、中間レール２の基板２０の方向に移動して、ストッパー孔６２１が間隙規制突部５３（ストッパー突部６２２）に係合して、移動側レール３の移動は停止し、移動側レールは最大伸長状態となる。
この時、引出し方向に移動してきたボールリテーナー４の保持基板部４０１、４０１は、弾性変移間隙５４１を縮めながら、リテーナー保持部５４に外嵌して、案内部材５の後端部に保持される。
この状態から、移動側レール３を中間レール２より抜き出す場合は、前述と同様、指先で操作部６３を基板３０方向に押しやり、間隙規制突部５３（ストッパー突部６２２）とストッパー孔６２１の係合を解除した状態を維持しながら、移動側レール３を収納方向に引出し方向に移動させ中間レール２より抜き出す。
【図面の簡単な説明】
【００３１】
【図１】移動側レールを抜き出した状態の正面図
【図２】（Ａ）  図１のＡ−Ａ線断面図            （Ｂ）  移動側レール装着当初の図２（Ａ）に対応する断面図            （Ｃ）  移動側レール装着時の図２（Ａ）に対応する断面図
【図３】図２（Ａ）のＢ−Ｂ線断面図
【図４】中間レール前端部分の斜視図
【図５】案内部材の斜視図
【図６】ストッパー部材が位置する個所の移動側レールの一部切り欠き正面図
【図７】（Ａ）移動側レールの引出し時ストッパー部材が移動途中の本発明                  の要部断面図          （Ｂ）移動側レールの引出し時ストッパー部材が係合した状態の本発明                  の要部断面図
【図８】移動側レールの収納時ストッパー部材が係合した状態の本発明の要部断面              図
【図９】図６のＣ−Ｃ線断面図
【図１０】図１のＤ−Ｄ線断面図
【符号の説明】
【００３２】
１              固定側レール
１０            基板
１１            折曲縁
１００          スライドレール
２              中間レール
２０            基板
２１            折曲縁
３              移動側レール
３０            基板
３１            折曲縁
３５            間隙規制凹部
３５０          最大凹陥位置
４              ボールリテーナー
４０            コ字形基板
５              案内部材
５１            取付基板
５２            案内突部
５３            間隙規制突部
５３２          頂面
５４            リテーナー保持部
５５            案内基板
５５１          第１案内傾斜面
５５２          第２案内傾斜面
６              ストッパー部材
６１            連結基板
６１１          嵌入突縁
６２            弾性変移部
６２１          ストッパー孔            
６２２          ストッパー突部
６３            操作部
【図１】
2008068120.tif 000003
【図２】
2008068120.tif 000004
【図３】
2008068120.tif 000005
【図４】
2008068120.tif 000006
【図５】
2008068120.tif 000007
【図６】
2008068120.tif 000008
【図７】
2008068120.tif 000009
【図８】
2008068120.tif 000010
【図９】
2008068120.tif 000011
【図１０】
2008068120.tif 000012